(57)【要約】      （修正有）【課題】初期の圧縮減容状態を長期に亘って可及的に維持することができる吸引密封式圧縮収納袋を提供する。【解決手段】布団や衣類などの収納物を吸引密封状態で収納するための吸引密封式圧縮収納袋２において、重ね合わされた二枚の樹脂フィルム４，６の三辺が熱融着されて矩形の収納袋２に形成されるとともに、残る一辺に開閉ファスナー１０が備えられて出し入れ口８として形成され、かつ該収納袋２には逆止弁１６を有した吸引口１４が設けられてなり、該樹脂フィルム４，６にはアルミ蒸着樹脂フィルムが用いられる。前記アルミ蒸着樹脂フィルム４，６には、アルミの非蒸着部分を所定形状で形成して、内部に収容した収納物を透視するための窓部を設けることが好ましい。【選択図】図１
2007204097.tif 000002
【特許請求の範囲】
【請求項１】
重ね合わされた二枚の樹脂フィルムの三辺が熱融着されて矩形の収納袋に形成されるとともに、残る一辺に開閉ファスナーが備えられて出し入れ口として形成され、かつ該収納袋には逆止弁を有した吸引口が設けられてなる、布団や衣類などの収納物を吸引密封状態で収納するための吸引密封式圧縮収納袋において、
該樹脂フィルムにアルミ蒸着樹脂フィルムを用いたことを特徴とする吸引密封式圧縮収納袋。
【請求項２】
前記アルミ蒸着フィルムにアルミの非蒸着部分を所定形状で形成して、内部に収容した収納物を透視するための窓部を設けたことを特徴とする吸引密封式圧縮収納袋。
【発明の詳細な説明】
【技術分野】
【０００１】
本発明は、布団や衣類などを圧縮減容して保管するための吸引密封式圧縮収納袋の改良に関する。
【背景技術】
【０００２】
従来より、押入や衣装ケース内などのスペースの有効利用のため、布団や衣類などの収納物を吸引密封式の収納袋内に入れて当該収納袋内の空気を電気掃除機などによって吸引排出することで、その体積をほぼ１／３程に圧縮減容した状態で保管することが行われている。また、この収納方法によれば省スペース化だけでなく、防カビ、防ダニなどの効果もある。
【０００３】
この吸引密封式圧縮収納袋は、たとえば高密度ポリエチレン，低密度ポリエチレンおよびポリアミド（ナイロン）などの複数の樹脂フィルムをラミネートした気密性材料の樹脂フィルムを用いて矩形状の袋体に形成し、その開口部に密封機能を有した樹脂製の開閉ファスナーを設けたものであり、従来では、閉じられたファスナーの一部を開け、これに掃除機のノズルを挿通して真空吸引するようにしていたが、ノズルを抜き、ファスナを完全に閉めるタイミングで空気が袋内部に侵入して真空度が低下し易く、改善が求められていた。
【０００４】
そこで、当該収納袋の一部に真空吸引口を開口し、かつこの吸引口には逆止弁機構を設け、ファスナにより袋内部を密封した後、逆止弁機構にノズルを接続して真空吸引する構造が開発されている。この構造では、吸引後はファスナーを開かない限りは真空状態に保持できる（特許文献１参照）。
【特許文献１】実願平５−４４８３７号公報
【発明の開示】
【発明が解決しようとする課題】
【０００５】
ところで、このような吸引密封式圧縮収納袋に要求される機能としては、袋内の空気を外部に吸引排出することで収容物を圧縮減容化した状態を、ファスナーを開放するまで可及的に維持し得るようにする点である。
【０００６】
しかしながら、従来の吸引密封式圧縮収納袋では、素材に複数の樹脂フィルムをラミネートした気密性のあるものを使用してはいたものの、当該樹脂フィルムのガスバリアー性が十分であったとは言い難く、これに起因して、その保管期間が長期に亘ると樹脂フィルムを透過して内部に徐々に空気が侵入してしまっていた。このため、長期に亘る保管であると、初期の圧縮減容化状態をそのまま維持しておくことが出来ずに、徐々に膨らんでいってしまうという課題があった。また、空気の侵入に伴って湿気も侵入してしまうという課題もあった。
【０００７】
本発明は上記課題に鑑みてなされたものであり、その目的は、初期の圧縮減容化状態を長期に亘って可及的に維持することができる吸引密封式圧縮収納袋を提供することにある。
【課題を解決するための手段】
【０００８】
上記課題を解決するため、本発明にあっては、重ね合わされた二枚の樹脂フィルムの三辺が熱融着されて矩形の収納袋に形成されるとともに、残る一辺に開閉ファスナーが備えられて出し入れ口として形成され、かつ該収納袋には逆止弁を有した吸引口が設けられてなる、布団や衣類などの収納物を吸引密封状態で収納するための吸引密封式圧縮収納袋において、該樹脂フィルムにアルミ蒸着樹脂フィルムを用いたことを特徴とする。
【０００９】
また、前記アルミ蒸着樹脂フィルムにアルミの非蒸着部分を所定形状で形成して、内部に収容した収納物を透視するための窓部を設けた構成とするのが好ましい。
【発明の効果】
【００１０】
アルミを表面に蒸着させた樹脂フィルムはガス・バリアー性に優れるので、吸引密封式圧縮収納袋の素材として用いることにより、空気が透過して内部に侵入してしまうことを可及的に防止することができ、もって初期の圧縮減容状態を可及的長期に亘って維持することができるようになるばかりか、湿気の侵入も可及的に防止出来るようになる。
【００１１】
また、前記アルミ蒸着樹脂フィルムにアルミを部分的に非蒸着として形成した窓部を設けることによって、内部の収容物を当該窓部を通じて視認することができる。
【発明を実施するための最良の形態】
【００１２】
以下、本発明の好ましい実施の形態につき、添付図面を参照して詳細に説明する。図１は本発明に係る吸引密封式圧縮収納袋を展開した状態を示す平面図であり、図２は図１において下方から見た状態の側面図、図３は出し入れ口の開閉ファスナー部の拡大断面図、図４は逆止弁を示すものあり、（ａ）は閉塞状態の縦断面図、（ｂ）は開放状態の縦断面図、（ｃ）は同図（ｂ）中のｃ−ｃ線矢視断面図、（ｄ）は同図（ｂ）中のｄ−ｄ線矢視断面図である。
【００１３】
図示するように、この吸引密封式圧縮収納袋２は矩形状の２枚の樹脂フィルム４，６が重ね合わされて、それらの三辺４ａ，６ａ、４ｂ，６ｂ、４ｃ，６ｃが熱融着されることで袋状に形成されている。そして、この矩形の収納袋２はその残りの一辺４ｄ，６ｄが収納物の出し入れ口８とされていて、当該出し入れ口８にはこれを密封する開閉ファスナー１０が備えられている。
【００１４】
当該開閉ファスナー１０は矩形状をした樹脂製の一対のテープ体１０ａ，１０ｂからなり、これら各テープ体１０ａ，１０ｂには相互に咬合し合う凹条１２ａと凸条１２ｂとがそれぞれ２条ずつ平行に対向形成されており、各テープ体１０ａ，１０ｂは収納袋２の出し入れ口８の内側に、その開口長さに対応されて全長に亘って熱融着されて一体的に設けられている。
【００１５】
また、収納袋２の一側面の樹脂フィルム４には、吸引口１４が円形に開口され、この吸引口１４には樹脂製の逆止弁１６が取り付けられている。図３に示すように、この逆止弁１６は吸引口１４の開口部を表裏から挟むようにして取り付けられており、収納袋２を挟んでその内面側に固着されて設けられる下部弁ケース１８と、外面側に固定される上部弁ケース２０と、両弁ケース１８，２０に対して上下に相対移動して下部弁ケースに１８形成された弁孔２２を開閉する弁体２４とから概略構成されている。
【００１６】
即ち、前記下部弁ケース１８は硬質樹脂射出成形体からなるものであって、前記吸引口１４外周部の収納袋２の内面側に、超音波あるいは高周波加工などの溶着２ｂにより気密に固着される円環状のフランジ１８ａを有する。このフランジ１８ａの内周部には、これに一体形成されて筒体部１８ｂが設けられており、この筒体部１８ｂの上端は前記吸引口を貫通して上方に突出し、かつ下端はフランジ１８ａの底面より下方に延びている。
【００１７】
また、上記筒体部１８ｂの下端には内方に延びる環状の遮蔽板１８ｃを介して弁座筒１８ｄが一体成型されて設けられているとともに、更にこの弁座筒１８ｄの内側には９０度の等間隔に配置された４本のリブ１８ｅを介して支持されたガイド筒１８ｆが一体形成されており、これらの筒体部１８ｂ、弁座筒１８ｄ、ガイド筒１８ｆは同芯上に配置されている。また、上記弁座筒１８ｄはその上端内周部が弁座面となっており、当該弁座筒１８ｄの内側空間が吸引通路の一部をなす弁孔２２となっている。
【００１８】
上部弁ケース２０は上記下部弁ケース１８と同様に硬質樹脂射出成形体からなっており、下部弁ケース１８のフランジ１８ａに対向するフランジ２０ａと、このフランジ２０ａの内周部に一体形成されて上方に突出し、下部弁ケース１８の筒体部１８ｂ外周に嵌合する係止筒２０ｂとを有している。係止筒２０ｂの内周面には環状の係合溝２０ｃが形成され、この係合溝２０ｃが下部弁ケース１８の筒体部１８ｂ外周に環状に形成されている突条１８ｇに係合して上部弁ケース２０が固定されるようになっており、収納袋２の樹脂フィルム４を当該上部弁ケース２０と下部弁ケース１８の両フランジ間に挟み込んでいる。また、係止筒２０ｂの上端部は下部弁ケース１８の筒体部１８ｂの内周面よりも内方に向けてリング状に突出形成されており、当該突出部が弁体２４のストッパー部２０ｄとなっている。
【００１９】
弁体２４は下部弁ケース１８のガイド筒１８ｆの外周に嵌合して摺動自在に上下動する弁筒２４ａと、この弁筒２４ａの上端部に外方に向けて拡径されて一体形成された円板状の蓋部２４ｂと、この蓋部２４ｂの下面から下方に棒状に延出形成されたストッパー片２４ｃと、弁筒２４ａの外周面下端部に形成された環状溝２４ｄに取り付けられたゴム製のシールリング２４ｅとからなる。上記ストッパー片２４ｃは同一円周上に９０度の等間隔で設けられており、その下端部に径方向外方に突出する係止爪２４ｆが設けられていて、弁体２４が上方にリフトされると当該係止爪２４ｆが上部弁ケース２０の係止筒２０ｂ上端部のストッパー部２０ｄ下面に当接して係止されることで弁体２４の脱落が阻止されるようになっている。
【００２０】
そして、上記リフト状態では、弁筒２０ａは弁座筒１８ｄから離間して弁孔２２を開放し、蓋部２４ｂと上部弁ケース２０の係止筒２０ｂとの間から収納袋２内の空気を外部に吸引排出することが可能となっている。一方、弁体２４が下降した状態では、弁筒２０ａの下端部先端が弁座筒１８ｄの内部に嵌り込むとともにシールリングが弁座筒１８ｄの上面に着座して密封性が保たれるようになっている。なお、逆止弁を密閉状態に保持する時には、弁座筒１８ｄの上に着座している弁体２４を軽く押し込んでシールリング２４ｅを弁座筒１８ｄの内周面部に圧入嵌合させてロック状態にする。
【００２１】
ところで、上記吸引密封式圧縮収納袋２にあっては、その樹脂フィルム４，６にはアルミ蒸着樹脂フィルムが用いられている。即ち、当該アルミ蒸着樹脂フィルム４，６は従来と同様のポリエチレン，ポリエステル，ポリアミド（ナイロン）などの複数材料の樹脂フィルムをラミネートした気密性材料の樹脂フィルムを基材として、その表面にアルミ蒸着加工を施こしたものであり、当該吸引密封式圧縮収納袋２に使用するアルミ蒸着樹脂フィルム４，６としては、例えば、東洋紡績株式会社製のアルミ蒸着樹脂フィルムである「ハーデン」（登録商標）フィルム（Ｎ７０７０−１２μｍ）等が適する。当該「ハーデン」フィルム（Ｎ７０７０−１２μｍ）は二軸延伸ナイロンフィルムにアルミニウムを蒸着させたものであり、厚みが１２μｍであり、透湿度が１０ｇ／ｍ２・２４ｈｒｓ、酸素透過度が１ｃｃ／ｍ２・２４ｈｒｓとなっている。
【００２２】
ここで、上記のアルミ蒸着樹脂フィルム４，６には、その全面にアルミニウムを蒸着させたものを使用しても良いが、アルミの非蒸着部分を所定形状で形成して、内部に収容した収納物を透視して視認可能な窓部（図示せず）を設けるようにするのが好ましい。なお、当該窓部の形状は円形、矩形、星形等の如何なる形状であっても良い。
【００２３】
以上の構成からなる吸引密封式圧縮収納袋２にあっては、収納袋２内に布団などの収納物を収納して、その開口部を開閉ファスナー１０で閉止して密封する。その後、密閉状態にロックされて保持されている逆止弁１６の弁体２４を一旦上方にこじ開けて、弁筒２４ａのシールリング２４ｅが弁座筒１８ｄの弁座面から自在にリフトし得るように載置して弁筒２４ａのロック状態を解除する。
【００２４】
爾後、図４（ｂ）に示すように、電気掃除機のノズル２６の先端を上部弁ケース２０のフランジ２０ａ表面外周部に凹設形成してある段部２０ｅに押し当てて掃除機を吸引作動させてる。この吸引状態においては、弁体２４はガイド筒１８ｆに沿って上方にリフトして弁筒２４ａが弁座筒１８ｄから離間する。そして、これにより弁孔２２が開放されて収納袋２内の空気が当該弁孔２２を通じて外部に排出されて減圧されていき、これに伴って収納物と収納袋２とがともに大気圧に押し潰されて順次平坦化されて減容化されていくことになる。
【００２５】
そして、十分に減容化されたならば、掃除機のスイッチを切ってノズル２６を取り外せば、弁筒２４ａは瞬時に弁座筒１８ｄ上にの座面に着座してシールリング２４ｅが弁孔２２を密封閉鎖する。次ぎに、弁体２４を下方に押し込んで弁筒２４ａのシールリング２４ｅを弾性変形させながら弁座筒１８ｄの内周面に圧入させ、弁体２４を閉鎖状態に確実に保持する。爾後、この収納物を圧縮減容化して収納した状態の吸引密封式圧縮収納袋２を押入や衣装ケース内などの収納スペースにて所望期間保管する。
【００２６】
このようにアルミ蒸着樹脂フィルム４，６を袋体の素材に用いた吸引密封式圧縮収納袋２では、そのアルミ蒸着樹脂フィルム４，６はガス・バリアー性に極めて優れるので、当該アルミ蒸着樹脂フィルム４，６を透過して空気が収納袋２の内部に侵入してしまうことを可及的に防止することができ、もって初期の圧縮減容化状態を可及的長期間に亘って維持することができるようになるばかりか、湿気の侵入も可及的に防止出来るようになる。
【００２７】
また、前記アルミ蒸着樹脂フィルム４，６にアルミを部分的に非蒸着として形成した窓部を設けることによって、内部の収容物を当該窓部を通じて容易に視認することができ、開閉ファスナー１０の開放するに先だって、これに内包収納した収納物を予め確認することができ、誤開放を未然に防ぐことができる。
【図面の簡単な説明】
【００２８】
【図１】本発明に係る吸引密封式圧縮収納袋を展開した状態を示す平面図である。
【図２】図１において下方から見た状態の側面図である。
【図３】図１中のＢ−Ｂ線矢視断面を示すもので、出し入れ口の開閉ファスナー部の拡大断面図である。
【図４】図１中のＡ−Ａ線矢視断面での逆止弁を示すものあり、（ａ）は閉塞状態の縦断面図、（ｂ）は開放状態の縦断面図、（ｃ）は同図（ｂ）中のｃ−ｃ線矢視断面図、（ｄ）は同ｄ−ｄ線矢視断面図である
【符号の説明】
【００２９】
２  収納袋
４，６  アルミ蒸着樹脂フィルム
８  出し入れ口
１０  開閉ファスナー
１４  吸引口
１６  逆止弁
１８  下部弁ケース
２０  上部弁ケース
２４  弁体
【図１】
2007204097.tif 000003
【図２】
2007204097.tif 000004
【図３】
2007204097.tif 000005
【図４】
2007204097.tif 000006